(57)【要約】【課題】異なる大きさや形状等の様々な物品を、その物品に合うように折り曲げ等により同一の緩衝部材で対応できるようにし、且つ該緩衝部材本体の運搬や保管には平板状としておくことができるので、かさばることがなく、取り扱い易く、更に、反復使用が可能な緩衝部材を得ることを目的としたものである。【解決手段】袋状に囲繞形成した可撓性シート内に該可撓性シート内の空気を抜いた状態で多数の弾性軽量粒子又は多数の弾性軽量粒子と該多数の弾性軽量粒子相互を結び付けるバインダーを内蔵し、外からの折り曲げ圧力、温度、湿度又は化学反応等により該可撓性シートの外形形状を自在に変化でき、その状態を保持し、且つ元の状態に戻すことのできることを特徴とする緩衝部材。【選択図】図２
0003181474.tif 000002
【実用新案登録請求の範囲】
【請求項１】
袋状に囲繞形成した可撓性シート内に該可撓性シート内の空気を抜いた状態で多数の弾性軽量粒子又は多数の弾性軽量粒子と該多数の弾性軽量粒子相互を結び付けるバインダーを内蔵し、外からの折り曲げ圧力、温度、湿度又は化学反応等により該可撓性シートの外形形状を自在に変化でき、その状態を保持し、且つ元の状態に戻すことのできることを特徴とする緩衝部材。
【請求項２】
可撓性シートは、折り曲げ圧力による折り曲げにより、多数の弾性軽量粒子が該可撓性シート内でほぼ移動することなくその折り曲げ或いは平板状体を保持できることを特徴とする請求項１記載の緩衝部材。
【請求項３】
バインダーは、可撓性シートの外からの圧力、温度、湿度又は化学反応等により軟硬化を繰り返す材料としたことを特徴とする請求項１記載の緩衝部材。
【請求項４】
バインダーは、弾性軽量粒子相互の結合を自身の弾性接着機能により折り曲げ或いは平板状体を保持できる材料としたことを特徴とする請求項１記載の緩衝部材。
【請求項５】
弾性軽量粒子を発泡体としたことを特徴とする請求項１乃至４のいずれか記載の緩衝部材。
【請求項６】
弾性軽量粒子を球体、卵体、多面体、角柱体、角錐体、円柱体、円錐体等の適宜立体形状としたことを特徴とする請求項１乃至５のいずれか記載の緩衝部材。
【考案の詳細な説明】
【技術分野】
【０００１】
本考案は、物品を段ボール等の物品収納容器に収納して運搬や保管する際、該物品が破損することを防止するための折り曲げ自在の緩衝部材に関する。
【背景技術】
【０００２】
従来より、様々な物品を物品収納容器に収納して運搬或いは保管する際、外部からの衝撃が当該物品に直接伝わらないようにするため、該物品収納容器と物品との間に各種緩衝部材を配置している。
【０００３】
発泡スチロールのような軽量で弾力性のある緩衝部材を物品収納容器と物品との間に配置するもの、或いは同様な材料により物品の形状に合った凹部を形成し、該凹部内に物品を収納し、それらを物品収納容器内に配置するもの等がある。
【０００４】
前者にあっては、物品の適宜箇所に緩衝部材を配置することができるので物品の形状に関わりなく汎用性があり、且つ所定の箇所のみで済み、部材量を少なくすることができるが、物品収納容器内の所定箇所に配設するためは予め形状を特定しておかなくてはならず、物品の収納時にあっては予定されている所定の箇所への配置が必要となり、且つ主として物品の隅部に配置するため凹凸のある形状として形成されており、保管がかさばり、取り扱いにくかった。
【０００５】
また、後者にあっては、物品の大きさや形状に合わせて予め凹部を形成するため、異なった大きさや形状の物品に対応する何種類もの凹部を予め用意しなければならず、上記同様、保管にかさばり、取り扱いにくいと同時に、汎用性にも欠けるものであった。
【０００６】
また、下記する特許文献１、２のように、被包装物の適宜箇所に部分的に配置される横断面略Ｌ字形の筒状体よりなる包装用緩衝材が知られているが、この包装用緩衝材は、紙又は紙を主体とする複合材で形成され、外部からの衝撃を緩和する構成となっている。これらのものは外形を形成する材料及び外方へ突出したリブ並びに筒状体により形成される空気層により弾力性を得るものであり、上記同様、包装用緩衝材の完成品としてその外形形状のものを予め用意しておく必要があり、それら本体の運搬及び保管は、上記同様、かさばるものであった。
【先行技術文献】
【特許文献】
【０００７】
【特許文献１】実開平５−７７０６８号公報
【特許文献２】特許第３３３４０１７号公報
【考案の概要】
【考案が解決しようとする課題】
【０００８】
本考案は、上記欠点を解決したもので、異なる大きさや形状等の様々な物品を、その物品に合うように折り曲げ等により適宜に形状を変化させることで単一の緩衝部材で対応できるようにし、且つ該緩衝部材本体の運搬や保管は平板状としておくことができるので、かさばることがなく、取り扱い易く、更に、反復使用が可能な緩衝部材を得ることを目的としたものである。
【課題を解決するための手段】
【０００９】
本考案は、袋状に囲繞形成した可撓性シート内に該可撓性シート内の空気を抜いた状態で多数の弾性軽量粒子又は多数の弾性軽量粒子と該多数の弾性軽量粒子相互を結び付けるバインダーを内蔵し、外からの折り曲げ圧力、温度、湿度又は化学反応等により該可撓性シートの外形形状を自在に変化でき、その状態を保持し、且つ元の状態に戻すことのできる緩衝部材を特徴とする。
【００１０】
また、上記可撓性シートは、折り曲げ圧力による折り曲げにより、多数の弾性軽量粒子が該可撓性シート内でほぼ移動することなくその折り曲げ或いは平板状体を保持できる緩衝部材を特徴とする。
【００１１】
更に、上記バインダーは、可撓性シートの外からの圧力、温度、湿度又は化学反応等により軟硬化を繰り返す材料とした緩衝部材を特徴とする。
【００１２】
また、上記バインダーは、弾性軽量粒子相互の結合を自身の弾性接着機能により折り曲げ或いは平板状体を保持できる材料とした緩衝部材を特徴とする。
【００１３】
更に、上記弾性軽量粒子を発泡体とした緩衝部材を特徴とする。
【００１４】
また、上記弾性軽量粒子を球体、卵体、多面体、角柱体、角錐体、円柱体、円錐体等の適宜立体形状とした緩衝部材を特徴とする。
【考案の効果】
【００１５】
本考案は、平板状体のものを適宜自由に折り曲げて変化させることができ、且つその折り曲げた状態を保持できると同時に、元の平板状体に戻すことができ、様々な大きさや形状等の物品の運搬や保管における外からの衝撃を緩和することのできる反復使用可能な緩衝部材を得ることが可能となった。
【００１６】
また、未使用時は平板状体で保管又は運搬することができ、かさばることなく、取り扱いが簡単な緩衝部材を提供することが可能となった。
【図面の簡単な説明】
【００１７】
【図１】（ａ）本考案の緩衝部材の斜視図、（ｂ）同側断面図、（ｃ）同折り曲げた状態を示す側断面図。
【図２】本考案の緩衝部材を物品収納容器と物品との間に配置した状態を示す側断面図。
【図３】本考案の緩衝部材の他の実施例の側断面図。
【考案を実施するための形態】
【００１８】
以下、図面を参考に本考案の実施例を説明する。
【実施例１】
【００１９】
図１は、本考案の緩衝部材１で、該緩衝部材１は、表裏の可撓性シート２、３と該可撓性シート２、３により袋状に形成された袋内の空間に挿入配置した多数の弾性軽量粒子４とより形成されている。上記表裏の可撓性シート２、３の周囲は、溶着、縫着等の適宜手段により固着され、内容物となる多数の弾性軽量粒子４が外部へ流出しないように封印した封印体５とされ、該封印体５により囲まれた袋内の空間は空気を抜いた状態としている。従って、袋内の該弾性軽量粒子４は自由に移動できないように密着状態で収納されている。
【００２０】
上記可撓性シート２、３は、薄手の柔軟なシート材よりなり、織物にあってはその縦横の繊維の伸長収縮率を予め変えておくことにより、合成樹脂にあっては縦横方向の歪を予め変えておくことにより折り曲げ圧力、温度、湿度等により折り曲げた状態を維持及び解除することが可能となる材料を選定している。
【００２１】
図１（ａ）、（ｂ）のように平板状体の緩衝部材１を、図１（ｃ）のように折り曲げ圧力を付与したり、温度に変化を与えたり、湿度を変えることで折り曲げ、その折り曲げた状態を維持できるようにし、使用後等においては上記各条件を解除することにより元の平板状体へ戻すことが可能なものとしている。
【００２２】
該可撓性シート２、３は、透明、半透明、或いは不透明等の適宜の状態の材料を必要に応じて採用することができる。
【００２３】
また、該弾性軽量粒子４は、様々な形状をした弾力性を有した軽量の塊状体よりなるもので、最短寸法２ｍｍ程度から最長寸法１０ｍｍ程度の大きさのもので、球体、卵体、多面体、角柱体、角錐体、円柱体、円錐体等の様々な立体形状をしたものが採用できる。その該弾性軽量粒子４の量は必要に応じて適宜選択することができる。
【００２４】
更に、該弾性軽量粒子４として、発泡体のような軽量、且つ弾力性を有するものが最適である。
【００２５】
また、連続気泡を有するポリウレタン形状記憶発泡体のような発泡体自身に形状記憶機能を有する材料を使用することにより、該可撓性シート２、３に形状記憶機能がない場合であっても袋内の材料自身の形状記憶により様々な形状に対応することが可能となる。
【００２６】
図２は、図１（ｃ）に示したように、折り曲げた状態の緩衝部材１を物品Ｗの隅部にあてがい、物品収納容器６内に挿入配設した状態を示している。該物品収納容器６に衝撃が加わっても、該緩衝部材１により物品Ｗへ伝わる衝撃力を緩和することが可能となる。
【実施例２】
【００２７】
図３は、薄手の柔軟なシートよりなる表裏の可撓性シート７、８により、上記実施例１と同様に袋状とされた空間内に弾性軽量粒子９と該弾性軽量粒子９相互を連結するバインダー１０とを内蔵し、袋内の空気を抜いた状態の緩衝部材１１である。
【００２８】
該可撓性シート７、８は、通常の柔軟なシートでよく、袋内の弾性軽量粒子９も実施例１と同様のものでよい。
【００２９】
該バインダー１０は、多数の該弾性軽量粒子９相互を連結するもので、可撓性シート７、８の外方からの折り曲げ圧力、温度、湿度又は化学反応等により軟硬化を繰り返す周知の適宜材料が選択される。
【００３０】
例えば、感圧性の接着剤であれば折り曲げ圧力の付与及び解除により軟硬化し、感熱性の接着剤であれば加熱及び冷却により軟硬化し、感湿性の接着剤であれば所定の湿度を付与及び除去により軟硬化し、化学反応性接着剤であれば化学反応の繰り返しにより軟硬化し、それらにより弾性軽量粒子９相互を接着したり解除したりする機能を発揮することが可能となるものである。
【００３１】
また、弾性接着機能を有する接着材料としてペースト状態の材料を選択することができる。表裏の可撓性シート７、８により袋状にされ、且つその袋内の空気を抜いて真空状態或いはそれに近い状態とすることで上記ペースト状態を維持することができる。
【００３２】
上記ペースト状態の材料としては、熱硬化型、ホットメルト型、湿気硬化型、その他化学反応による軟硬化型等の様々な種類のものを適宜選択することができる。
【００３３】
他方、形状記憶接着剤として、形状記憶性素材よりなる材料を接着剤として使用することにより、緩衝部材１１に対して適宜形状に折り曲げ圧力、温度、湿度等を付与又は解除することで様々な形状へと変化させることができる。
【００３４】
上記接着剤としては、例えば、少なくともポリイソシアネート、ポリオール及び活性水素基を含む鎖延長剤を原料としてなる末端水酸基のポリウレタン又は末端イソシアネート基のポリウレタンからなる形状記憶性接着剤組成物或いは少なくともポリイソシアネート、ポリオール及び活性水素基を含む鎖延長剤を原料としてなる末端水酸基のポリウレタンを主剤とし、少なくともポリイソシアネート、ポリオール及び活性水素基を含む２官能の鎖延長剤を原料としてなる末端イソシアネートポリウレタン、イソシアヌレート型のポリイソシアネート及びビューレット型のポリイソシアネートからなる群から選ばれる少なくとも１種を硬化剤とする２液混合型形状記憶性接着剤組成物等がある。
【００３５】
なお、上記実施例１、２の図面として、緩衝部材全体の形状を周辺の狭まった薄い板状体形状として表現しているが、これに限定されるものではなく、通常の板状体形状としたもの、球体や卵体等を押しつぶした形状としたもの等様々な立体形状のものを選択することができる。
【符号の説明】
【００３６】
１、１１                  緩衝部材
２、３、７、８            可撓性シート
４、９                    弾性軽量粒子
５                        封印体
６                        物品収納容器
１０                      バインダー
【図１】
0003181474.tif 000003
【図２】
0003181474.tif 000004
【図３】
0003181474.tif 000005